(57)【要約】      （修正有）【課題】餌の小魚の腹部に向けて下方からアタックをかけてくる太刀魚が針に掛かり易くなる太刀魚用テンヤを提供する。【解決手段】太刀魚用テンヤ１であって、テンヤ１の最前部に配置され先端に向かって先細る上面視で砲弾型の魚頭形状を有するヘッド２と、ヘッド２の後端からテンヤ１の後方に向かって延びる釘状の餌キーパー４と、ヘッド２の後端からテンヤ１の後方に向かって餌キーパー４と離間して平行に延びる本体部８と本体部８の後端に設けられヘッド２方向に向かって略Ｕ字状に湾曲した曲げ部１０とを有している針６と、を備え、ヘッド２の上面視での幅が２０ｍｍ以下であり、ヘッド２の後端から曲げ部１０の前端までの長さが、５０ないし６５ｍｍである。【選択図】図２
0003212256.tif 000002
【実用新案登録請求の範囲】
【請求項１】
太刀魚用テンヤであって、
前記太刀魚用テンヤの最前部に配置され前端に向かって先細る上面視で砲弾型の魚頭形状を有するヘッドと、
該ヘッドの後端から前記テンヤの後方に向かって延びる釘状の餌キーパーと、
該ヘッドの後端から前記テンヤの後方に向かって前記餌キーパーと離間して平行に延びる本体部と前記本体部の後端に設けられ前記ヘッド方向に向かって略Ｕ字状に湾曲した曲げ部と、を有している針と、を備え、
前記ヘッドの上面視での幅が20ｍｍ以下であり、
前記ヘッドの後端から前記曲げ部の前端までの長さが、50ないし65ｍｍである、
ことを特徴とする太刀魚用テンヤ。
【請求項２】
前記餌キーパーは、重量が前記ヘッドの重量の１〜２０％である、
請求項１に記載の太刀魚用テンヤ。
【請求項３】
前記餌キーパーは、外周面の少なくとも一部にスクリュー状の螺旋突起が形成されている、
請求項１または２に記載の太刀魚用テンヤ。
【請求項４】
前記餌キーパーは、前記針の本体部とほぼ同じ長さを有している、
請求項１ないし３のいずれか１項に記載の太刀魚用テンヤ。
【請求項５】
前記針の曲げ部の前端が、前記針の本体部が前記餌キーパーから離間している距離とほぼ同じ距離だけ、前記針の本体から離間して配置されている、
請求項１ないし４のいずれか１項に記載の太刀魚用テンヤ。
【請求項６】
前記ヘッドが、幅方向に圧縮され長円形の後端面を有する魚頭形状を有し、
前記餌キーパーの基端が、前記ヘッドの後端面の長円の長軸の一端側に連結され、
前記針の基端が、前記ヘッドの後端面の長円の長軸の他端側に連結されている、
請求項１ないし５のいずれか１項に記載の太刀魚用テンヤ。
【請求項７】
前記ヘッドの長さと幅の比率が、３:１ないし５:１である、
請求項１ないし６のいずれか１項に記載の太刀魚用テンヤ。
【考案の詳細な説明】
【技術分野】
【０００１】
本考案は、概略的には太刀魚用テンヤに関し、詳細には、警戒心が強い太刀魚に対する釣果を高めることができる太刀魚用テンヤに関する。
【背景技術】
【０００２】
太刀魚用テンヤとして、魚頭型あるいは砲弾型の錘の後方に釣り針の胴(軸)の基端を連結し、この胴の後端に針先部を配置したテンヤが知られている(特許文献１)。このような太刀魚用テンヤでは、針の胴に沿って餌の小魚が取付けられる。
【先行技術文献】
【特許文献】
【０００３】
【特許文献１】特願２０１６−０９３１０５号公報
【考案の概要】
【考案が解決しようとする課題】
【０００４】
ここで、太刀魚は、餌の小魚の腹部(エラ〜肛門)を狙ってアタックをかける習性を有している。しかしながら、上記のような従来型の太刀魚用テンヤでは、ヘッドと針との距離が比較的長く、餌の小魚の腹部に向けて下方からアタックをかけてくる太刀魚が針に掛かり難いという問題があった。
【０００５】
本考案はこのような問題に鑑みてなされたものであり、餌の小魚の腹部に向けて下方からアタックをかけてくる太刀魚が針に掛かり易くなる太刀魚用テンヤを提供することを目的とする。
【課題を解決するための手段】
【０００６】
本考案によれば、
太刀魚用テンヤであって、
前記太刀魚用テンヤの最前部に配置され前端に向かって先細る上面視で砲弾型の魚頭形状を有するヘッドと、
該ヘッドの後端から前記テンヤの後方に向かって延びる釘状の餌キーパーと、
該ヘッドの後端から前記テンヤの後方に向かって前記餌キーパーと離間して平行に延びる本体部と前記本体部の後端に設けられ前記ヘッド方向に向かって略Ｕ字状に湾曲した曲げ部と、を有している針と、を備え、
前記ヘッドの上面視での幅が20ｍｍ以下であり、
前記ヘッドの後端から前記曲げ部の前端までの長さが、50ないし65ｍｍである、
ことを特徴とする太刀魚用テンヤが提供される。
【０００７】
このような構成を有する本考案の太刀魚用テンヤは、頭部を取除いたイワシ等の餌の小魚を小魚の腹部が針の本体部に沿って延びる配置とし、餌キーパーを小魚の背骨に沿って突通すことによって取り付けて、使用される。
餌の小魚は頭部が取り除かれているので、太刀魚用テンヤのヘッドが小魚の頭部の位置に配置され、頭部が取り除かれた小魚の胴部とテンヤのヘッドとで小魚の全体形状が復元されることになる。
【０００８】
このような構成を有する本考案の太刀魚用テンヤによれば、ヘッドの上面視での幅が20ｍｍ以下であるため、太刀魚用テンヤに取付けられた餌を太刀魚が下方から見上げた際、幅20ｍｍ以下のテンヤのヘッドが餌の頭部と認識されるため、捕食し易い大きさの餌と認識され易くなる。さらに、ヘッドの後端から針の曲げ部の先端までの長さが50ないし65ｍｍであるので、下方から、餌キーパーに突き通された餌に食いついた太刀魚が、針に掛かりやすくなる。
【０００９】
本考案の他の好ましい態様によれば、
前記餌キーパーは、重量が前記ヘッドの重量の１〜２０％である。
【００１０】
このような構成によれば、ヘッドの後端から前記テンヤの後方に向かって延びる釘状の餌キーパーが、水中でテンヤを水平に維持するカウンターウエイトの機能を有する。
【００１１】
本考案の他の好ましい態様によれば、
前記餌キーパーは、外周面の少なくとも一部にスクリュー状の螺旋突起が形成されている。
【００１２】
このような構成によれば、餌キーパーに突き通された餌の小魚が餌キーパーから外れにくくなり、テンヤから脱落する可能性が低くなる。
【００１３】
本考案の他の好ましい態様によれば、
前記餌キーパーは、前記針の本体部とほぼ同じ長さを有している。
【００１４】
このような構成によれば、餌キーパーに突き通された餌の小魚が餌キーパーと針の本体部との間で挟持されることにより餌キーパーから外れにくくなり、テンヤから脱落する可能性がより低くなる。
【００１５】
本考案の他の好ましい態様によれば、
前記針の曲げ部の前端が、前記針の本体部が前記餌キーパーから離間している距離とほぼ同じ距離だけ、前記針の本体から離間して配置されている。
【００１６】
本考案の他の好ましい態様によれば、
前記ヘッドが、幅方向に圧縮され長円形の後端面を有する魚頭形状を有し、
前記餌キーパーの基端が、前記ヘッドの後端面の長円の長軸の一端側に連結され、
前記針の基端が、前記ヘッドの後端面の長円の長軸の他端側に連結されている、
【００１７】
このような構成によれば、餌キーパーが、餌の小魚の背骨近傍に突き通されることになるため、餌の小魚がより外れにくくなり、テンヤから脱落する可能性がより低くなる。
【００１８】
本考案の他の好ましい態様によれば、
前記ヘッドの長さと幅の比率が、３:１ないし５:１である。
【００１９】
このような構成によれば、太刀魚が下方から餌を見上げた際、テンヤが捕食し易い大きさの餌と認識され易く、太刀魚がアタックしてくる可能性が高まる。
【考案の効果】
【００２０】
本考案によれば、餌の小魚の腹部に向けて下方からアタックをかけてくる太刀魚が針に掛かり易くなる太刀魚用テンヤが提供される。
【図面の簡単な説明】
【００２１】
【図１】本考案の好ましい実施形態の太刀魚用テンヤ１の斜視図である。
【図２】本考案の好ましい実施形態の太刀魚用テンヤ１の側面図である。
【図３】本考案の好ましい実施形態の太刀魚用テンヤ１の平面図である。
【図４】本考案の好ましい実施形態の太刀魚用テンヤ１の使用状態を説明する図面である。
【図５】本考案の実施例において比較例として使用したテンヤの側面図である。
【考案を実施するための形態】
【００２２】
以下、図面に沿って、本考案の好ましい実施形態の太刀魚用テンヤ１について説明する。図１は、本考案の好ましい実施形態の太刀魚用テンヤ１の斜視図である。図２は太刀魚用テンヤ１の側面図であり、図３は太刀魚用テンヤの平面図である。
【００２３】
図１ないし図３に示されているように、本実施態様の太刀魚用テンヤ１は、最前部に配置され前端に向かって先細る上面視（上方から見た平面視）で砲弾型の魚頭形状を有するヘッド２と、ヘッド２の後端からテンヤ１の後方に向かって延びる釘状の餌キーパー４と、針６を備えている。
【００２４】
詳細には、図２に示されているように、ヘッド２は、幅方向に圧縮され長円形の後端面２ａを有する魚頭形状を備えている。ヘッド２は、頭部を取り除いた状態でテンヤ１に取付けられる餌の小魚(イワシ等)の頭部を模したものとされ、目玉、およびエラ蓋の輪郭線等を示す刻みを備えている。
【００２５】
ヘッド２には、餌キーパー４の基端がヘッド２の長円形の後端面２ａの長軸Ａの一端(上端)側に連結され、針６の基端が、ヘッド２の長円形の後端面２ａの長軸Ａの他端(下端)側に連結されている。
さらに、ヘッド2には、釣糸を連結するためのリングｒが設けられている。
【００２６】
また、ヘッドは、鉛で構成されるのが一般的であるが、タングステン、スズ、鉄などで構成されてもよい。また、針はステンレス、炭素鋼の金属で構成されている。
【００２７】
ヘッド２の上面視（上方から見た平面視）での幅Ｗが、略30ｍｍ以下になるように設定されている。本実施態様では、ヘッド２の上面視での幅Ｗは、略20ｍｍ以下になるように設定さ、具体的には、12ないし19ｍｍに設定されている。
【００２８】
また、ヘッド２の長さおよび高さは、３５〜５５ミリおよび２５〜４０ミ程度に設定され、これは２０号〜６０号(約７５ｇ〜２２５ｇ)に相当する。ヘッド２の長さおよび高さは、４０号相当のとき、４５ミリおよび３０ミリとなる。
【００２９】
本実施態様の太刀魚用テンヤ１では、餌キーパー４の外周面には、餌キーパー４のほぼ全長に亘ってスクリュー状の螺旋突起１２が形成されている。しかしながら、このスクリュー状の螺旋突起１２が、餌キーパー４の一部に形成された構成でもよい。
【００３０】
針６は、ヘッド２の後端から餌キーパー２と離間して平行にテンヤ１の後方に向かって延びる本体部８と、本0体部８の後端に設けられヘッド方向２に向かって略Ｕ字状に折り返し状態に湾曲させられた曲げ部１０とを有している。
【００３１】
本実施態様の太刀魚用テンヤ１では、餌キーパー４は、針６の本体部８とほぼ同じ長さを有している。具体的には、ヘッドの号数(大きさと重さ)により、３cm〜７cm程度の長さとされている。
しかしながら、餌キーパー４は、針６の本体部８より長い長さでもよい。また、餌キーパー４は、餌を突き通して保持するのに十分な長さを有すれば、針６の本体部８より短い長さでもよい。
【００３２】
本実施態様の太刀魚用テンヤ１では、ヘッド方向２に向かって略Ｕ字状に湾曲した針６の曲げ部１０の先端１０ａと、ヘッド２の後端２ａとの距離Ｄは、50ないし65ｍｍに設定されている。
【００３３】
本実施態様の太刀魚用テンヤでは、餌キーパー４の重量は、ヘッド１の重量の１％ないし２０％となるように設定されているのが好ましく、２〜７％となるように設定されているのがより好ましく、５％程度が最も好ましい。
【００３４】
また、本実施態様の太刀魚用テンヤ１では、針６の曲げ部１０の先端１０ａは、曲げ部１０の先端１０ａが餌キーパー４から離間している距離Ｌ１とほぼ等しい距離Ｌ２だけ、針６の本体部８から離間している。即ち、本実施態様の太刀魚用テンヤ１は、針６の曲げ部１０の先端１０ａと針６の本体部８との距離Ｌ２が、針６の本体部８と餌キーパー４との距離Ｌ１とほぼ等しくなるように構成されている。
【００３５】
ここでテンヤＬ１は、餌キーパー４が、餌の小魚の背骨近傍に突き通されるように設定されるのが好ましい。また、Ｌ２は、使用する針の寸法に依存する。
【００３６】
次に、図４に沿って、本実施態様の太刀魚用テンヤ１の使用方法を説明する。図４は、本考案の好ましい実施形態の太刀魚用テンヤ１の使用状態を説明する図面である。
【００３７】
本実施態様の太刀魚用テンヤ1は、頭部を取除いたイワシ等の餌の小魚２０を取付けて使用される。餌２０には、餌の小魚２０の腹部が針６の本体部８に沿って延びる位置で、餌キーパー４が背骨に沿って突通される。
【００３８】
さらに、ステンレス細線等の細線２２を、針６の本体部８および餌の小魚２０の周りに巻き付け、針６の本体部８に対して小魚２０を固定する。
【００３９】
上述したように、本実施態様の太刀魚用テンヤ１では、ヘッド２が、小魚の頭部を模するように構成されている。この結果、頭部が取除かれた餌の小魚２０を太刀魚用テンヤ１に取付けると、テンヤ１のヘッド２が餌の小魚２０の取り除かれた頭部の位置に配置され、テンヤ１と餌の小魚２０とによって、餌の小魚の全体形状が復元されることになる（図４）。
【００４０】
本考案は、上記実施形態に限定されることなく、実用新案登録請求の範囲の記載の範囲内で種々の変更、変形が可能である。
【実施例】
【００４１】
次に、本考案の実施例について説明する。
本考案の実施例として、上記実施態様の太刀魚用テンヤ１(実施例(２)、(３))を用い、フィールドテストを行った。図５に示されている形状を有するテンヤ３０を比較例((１))として用いた。この比較例のテンヤは、上述した特願2016-093105号公報の図５に示されているテンヤに類似するものであり、ヘッド３２、針３４および餌キーパー３６を備えている。
【００４２】
実施例(２)のテンヤではヘッドが無垢の鉛で構成され、実施例(３)のテンヤではヘッドには蛍光増白剤が塗布されている。
【００４３】
フィールドテストは、兵庫県の洲本沖〜由良沖で、実施例((１))および比較例((２)、(３))の太刀魚用テンヤのそれぞれを用いて、同一条件で太刀魚釣りを行うことによって実施された。結果を下記表１に示す。
【００４４】
表１
0003212256.tif 000003
【００４５】
上記実釣テストの結果から、本考案の実施例のテンヤのアタリ数、釣果が圧倒的に多かったことが解る。
【符号の説明】
【００４６】
１：太刀魚用テンヤ
２：ヘッド
４：餌キーパー
６：針
８：本体部
10：曲げ部
12：螺旋突起
20：餌(小魚)
【図１】
0003212256.tif 000004
【図２】
0003212256.tif 000005
【図３】
0003212256.tif 000006
【図４】
0003212256.tif 000007
【図５】
0003212256.tif 000008